(57)【要約】      （修正有）【課題】パチンコ営業者が提供する景品としてデジタル・コンテンツ商品を中古流通市場にリンクさせることにより、買取価格を合理的に設定できる景品買取の仕組みを構築することを目的とする。【解決手段】本発明の景品交換・買取システム又は方法は、店内景品発注端末において、遊戯客が該端末に表示された商品の中から計数された自己の勝ち玉に対応する所定の商品を発注すると、該発注に対応する商品識別コード及び流通管理コードが流通管理センターに送られると共に、景品自動払い出し装置から商品が提供され、流通管理センターは該商品のその後の使用状態に対応した流通価格を管理し、前記遊戯客が前記取得した所定の商品を景品自動買取装置にセットすると、該商品の流通管理コードが読み取られ、該商品の使用状態に応じた流通価格が流通管理センターから取得され、該取得された流通価格及び買取手数料に基づき前記景品買取が行われる。【選択図】図１
2005046284.tif 000002
【特許請求の範囲】
【請求項１】
遊技店の店内に設けられた景品発注端末と景品自動払い出し装置、遊戯店外に設けられた景品自動買取装置およびこれらと流通管理センターを結ぶネットワークからなる、遊戯客が自己の勝ち玉を景品に交換するシステムにおいて、
上記店内景品発注端末において、遊戯客が該端末に表示された商品の中から計数された自己の勝ち玉に対応する所定の商品を発注すると、該発注に対応する商品識別コード及び流通管理コードが流通管理センターに送られると共に、該発注に対応する商品が該商品識別コード及び流通管理コードを付加されて前記景品自動払い出し装置から提供され、該商品提供後流通管理センターは該商品のその後の使用状態及び該使用状態に対応した流通価格を管理し、前記遊戯客が前記取得した所定の商品を景品自動買取装置にセットすると、該商品の前記流通管理コードが読み取られ、該読み取られた流通管理コードに対応する前記商品の使用状態に応じた流通価格及び買取手数料に基づき前記景品の買取が自動的に行われることを特徴とする景品交換・買取システム。
【請求項２】
前記遊戯客が前記取得した所定の商品を景品自動買取装置にセットして該商品の前記流通管理コードが読み取られた時、流通管理センターにアクセスして該読み取られた流通管理コードに対応する前記商品の使用状態に応じた流通価格が流通管理センターから取得すること、あるいは予め景品自動払い出し装置や流通管理センターから送信されている該読み取られた流通管理コードに対応する前記商品の使用状態に応じた流通価格を取得することを特徴とする前記請求項１記載の景品交換・買取システム。
【請求項３】
前記発注に対応する商品識別コード及び流通管理コードが流通管理センターに送られるとき、該発注に対応する売上データも流通管理センターやベンダー（商品買取機構）に送られ、売上管理が行われることを特徴とする前記請求項１または２記載の景品交換・買取システム。
【請求項４】
前記所定の商品は、デジタル・コンテンツが記録されたカード型ＣＤ等のメディアであり、該メディアは使用の度に前記商品識別コードが前記流通管理センターに自動的に通知され、前記使用状態が該流通管理センターに通知されたデンジタル・コンテンツの使用回数であることを特徴とする前記請求項１または２記載の景品交換・買取システム。
【請求項５】
前記商品識別コードは前記所定の商品が前記景品自動払い出し装置から提供される時前記メディアに印字されるものであり、前記流通管理コードは上記メディアと共に一体化して収納されたＩＣタグ等のメモリに記録されていることを特徴とする前記請求項４記載の景品交換・買取システム。
【請求項６】
前記流通管理センターには、前記メディアをユーザがパソコンで使用したとき、該使用の度に前記商品識別コードがインターネットを介して自動的に通知され、前記使用状態が管理されるコンテンツ・センターを含むことを特徴とする前記請求項４または５記載の景品交換・買取システム。
【請求項７】
前記流通管理センターには、前記所定の商品を発注時、該発注に対応する商品識別コード及び流通管理コードが流通管理センターに送られる時のデータ、前記遊戯客が前記取得した所定の商品を景品自動買取装置にセットしたとき読み取られる前記流通管理コード等のデータ、及び該取得された流通価格及び買取手数料に基づき前記景品買取が行われる時の各データの認証・決済を行う認証・決済センターを含むことを特徴とする前記請求項４または５記載の景品交換・買取システム。
【請求項８】
遊技店の店内に設けられた景品発注端末と景品自動払い出し装置、遊戯店外に設けられた景品自動買取装置およびこれらと流通管理センターを結ぶネットワークを用いて遊戯客が自己の勝ち玉を景品に交換する方法において、
上記店内景品発注端末において、遊戯客が該端末に表示された商品の中から計数された自己の勝ち玉に対応する所定の商品を発注すると、該発注に対応する商品識別コード及び流通管理コードが流通管理センターに送られると共に、該発注に対応する商品が該商品識別コード及び流通管理コードを付加されて前記景品自動払い出し装置から提供され、該商品提供後流通管理センターは該商品のその後の使用状態及び該使用状態に対応した流通価格を管理し、前記遊戯客が前記取得した所定の商品を景品自動買取装置にセットすると、該商品の前記流通管理コードが読み取られ、該読み取られた流通管理コードに対応する前記商品の使用状態に応じた流通価格及び買取手数料に基づき前記景品の買取が自動的に行われることを特徴とする景品交換・買取方法。
【請求項９】
前記遊戯客が前記取得した所定の商品を景品自動買取装置にセットして該商品の前記流通管理コードが読み取られた時、流通管理センターにアクセスして該読み取られた流通管理コードに対応する前記商品の使用状態に応じた流通価格が流通管理センターから取得すること、あるいは予め景品自動払い出し装置や流通管理センターから送信されている該読み取られた流通管理コードに対応する前記商品の使用状態に応じた流通価格を取得することを特徴とする前記請求項８記載の景品交換・買取方法。
【請求項１０】
前記発注に対応する商品識別コード及び流通管理コードが流通管理センターに送られるとき、該発注に対応する売上データも流通管理センターやベンダー（商品買取機構）に送られ、売上管理が行われることを特徴とする前記請求項８または９記載の景品交換・買取方法。
【請求項１１】
前記所定の商品は、デジタル・コンテンツが記録されたカード型ＣＤ等のメディアであり、該メディアは使用の度に前記商品識別コード及び流通管理コードが前記流通管理センターに自動的に通知され、前記使用状態が該流通管理センターに通知されたデンジタル・コンテンツの使用回数であることを特徴とする前記請求項８または９記載の景品交換・買取方法。
【請求項１２】
前記商品識別コードは前記所定の商品が前記景品自動払い出し装置から提供される時前記メディアに印字され、前記流通管理コードは上記メディアと共に一体化して収納されたＩＣタグ等のメモリに記録されていることを特徴とする前記請求項１１記載の景品交換・買取方法。
【請求項１３】
前記流通管理センターには、前記メディアをユーザがパソコンで使用したとき、該使用の度に前記商品識別コードがインターネットを介して自動的に通知され、前記使用状態が管理されるコンテンツ・センターを含むことを特徴とする前記請求項１１または１２記載の景品交換・買取方法。
【請求項１４】
前記流通管理センターには、前記所定の商品を発注時、該発注に対応する商品識別コード及び流通管理コードが流通管理センターに送られる時のデータ、前記遊戯客が前記取得した所定の商品を景品自動買取装置にセットしたとき読み取られる前記商品識別コード及び流通管理コード等のデータ、及び該取得された流通価格及び買取手数料に基づき前記景品買取が行われる時の各データの認証・決済を行う認証・決済センターを含むことを特徴とする前記請求項１１または１２記載の景品交換・買取方法。
【発明の詳細な説明】
【技術分野】
【０００１】
本発明は、遊技店における景品交換・買取システム及び方法、特にパチンコ遊技店において顧客の勝玉に応じて景品を提供する景品交換・買取システム及び方法に関するものである。
【背景技術】
【０００２】
音楽やゲーム、ビジネス用ソフトの様なデジタル・コンテンツは、電子的な記録や送受信により販売することが可能であるが、携帯性や商品性を維持するために、一般的には、ＣＤやフレキシブルディスク、コンパクトディスク等の記憶媒体（メディア）に記録され、販売されているのが通常である。
【０００３】
また、これらのデジタル・コンテンツ商品の価格は、通常、著作権料や製造、流通コストを考慮して決定されるが、その普遍的な価値部分（著作権）を流通させる中古市場も形成されており、利用者の趣向性や必要性等に応じて、その価値（実勢売買価格）が変動することも知られている。
【０００４】
この中古流通市場において、この様な商品の実勢価格は、その商品に対する需要と供給のバランスにより変動するのが合理的であるが、その流通事業者（中古販売業者等）が同商品を仲買しこれを再販する場合、その再流通コストを捻出しなければ成らず、当然、買取価格より再販価格が大きくなるように設定されなければならない。また、同再販価格は、著作権保護の観点からも、同商品の本来的価値（コンテンツそのものの価値＝著作権料）に近い価格が設定されなければならないと考えられる。
【０００５】
しかし、実際に、同商品が売買される場合には、既に使用（視聴）済みと成っている場合が殆どであり、これが中古市場に溢れることで需要と供給のバランスが崩れ、同商品の本来的価値が損なわれると言う不合理性が生まれる。
【０００６】
従って、同商品の使用回数などで売却（買取）価格を調整（使用回数が多ければ買取価格が低く設定し、逆に、使用回数が少なければ買取価格を高く設定）することで、同商品の本来的価値を一定水準に維持する方法や技術が必要になる。
【０００７】
また、パチンコ営業において、その営業者は遊技客の勝玉に応じて景品を提供しなければならないが、その景品の中、いわゆる「換金景品」と言うものがあるが、これは、ある特定業者がパチンコ営業者に納入し、パチンコ営業者がこれを遊技客の勝玉応じて提供し、また、同一または別の特定業者がこれを客から買い取るものである。
【０００８】
パチンコ営業においては、遊技客が自己の都合により、必要以上に獲得した景品をパチンコ営業者以外の第三者に売却することは違法ではないものの、この「特殊景品」は、言わば記号化された景品であり、殆ど無価値な物が三者乃至は四者間を還流している訳で、限りなく有価証券に類似した存在と成っており、同仕組みの運用如何によっては、同営業に関する法律（「風俗営業適正化法」）が規定する営業者の禁止行為に抵触する可能性があるとされている。
【０００９】
例えば、景品買取の従来例として、特開平８−２１５３９７号公報や特開平９−２２０３４２号公報等が周知であるが、これらは勝ち玉を計数した磁気記録媒体やカードを特殊景品として用いるものであり、磁気記録媒体やカード自体は何ら商品価値がないので、これを買い取るのは上記有価証券と同じ意味になるので違法性が高い。
【００１０】
また、例えば特開２００１−１３４６３５号公報のように、中古ＣＤ等の流通を支援するシステムも知られているが、これらシステムにおける中古ＣＤ等の値決めはデータ入力を人手に頼るものであり、本発明のように自動的に引き取り価格を表示するものでないので、本発明のような景品引取装置には適さないものである。
【００１１】
【特許文献１】特開平８−２１５３９７号公報
【特許文献２】特開平９−２２０３４２号公報
【特許文献３】特開２００１−１３４６３５号公報
【発明の開示】
【発明が解決しようとする課題】
【００１２】
本発明の課題は、前記デジタル・コンテンツ商品の使用回数を測定し、同商品の中古流通市場において、その本来的価値であるコンテンツに関する著作権等を保護しながら、その買取価格や再販価格を合理的に設定できる機能を提供するものであり、特に、パチンコ営業者が提供する景品として、上記音楽やゲーム、ビジネス用ソフトの様なデジタル・コンテンツが記憶媒体に記録された商品を想定し、この様なパチンコ景品としてのデジタル・コンテンツ商品を中古流通市場にリンクさせることにより、いわゆる「特殊景品」の非合法性を払拭し、合法的な景品買取の仕組みを構築することを目的とする。
【課題を解決するための手段】
【００１３】
上述した課題を解決するため、本発明の景品交換・買取システム又は方法は、遊技店の店内に設けられた景品発注端末と景品自動払い出し装置、遊戯店外に設けられた景品自動買取装置およびこれらと流通管理センターを結ぶネットワークからなる、遊戯客が自己の勝ち玉を景品に交換するシステムにおいて、上記店内景品発注端末において、遊戯客が該端末に表示された商品の中から計数された自己の勝ち玉に対応する所定の商品を発注すると、該発注に対応する商品識別コード及び流通管理コードが流通管理センターに送られると共に、該発注に対応する商品が該商品識別コード及び流通管理コードを付加されて前記景品自動払い出し装置から提供され、該商品提供後流通管理センターは該商品のその後の使用状態及び該使用状態に対応した流通価格を管理し、前記遊戯客が前記取得した所定の商品を景品自動買取装置にセットすると、該商品の前記流通管理コードが読み取られ、該読み取られた流通管理コードに対応する前記商品の使用状態に応じた流通価格及び買取手数料に基づき前記景品の買取が自動的に行われることを特徴とする。
【００１４】
さらに、前記遊戯客が前記取得した所定の商品を景品自動買取装置にセットして該商品の前記流通管理コードが読み取られた時、流通管理センターにアクセスして該読み取られた流通管理コードに対応する前記商品の使用状態に応じた流通価格が流通管理センターから取得すること、あるいは予め景品自動払い出し装置や流通管理センターから送信されている該読み取られた流通管理コードに対応する前記商品の使用状態に応じた流通価格を取得することを特徴とする。
【００１５】
さらに、前記発注に対応する商品識別コード及び流通管理コードが流通管理センターに送られるとき、該発注に対応する売上データも流通管理センターやベンダー（商品買取機構）に送られ、売上管理が行われることを特徴とする。
【００１６】
また、前記所定の商品は、デジタル・コンテンツが記録されたカード型ＣＤ等のメディアであり、該メディアは使用の度に前記商品識別コード及び流通管理コードが前記流通管理センターに自動的に通知され、前記使用状態が該流通管理センターに通知されたデンジタル・コンテンツの使用回数であることを特徴とする。
【００１７】
また、前記商品識別コードは前記所定の商品が前記景品自動払い出し装置から提供される時前記メディアに印字されるものであり、前記流通管理コードは上記メディアと共に一体化して収納されたＩＣタグ等のメモリに記録されていることを特徴とする。
【００１８】
また、前記流通管理センターには、前記メディアをユーザがパソコンで使用したとき、該使用の度に前記商品識別コードがインターネットを介して自動的に通知され、前記使用状態が管理されるコンテンツ・センターを含むことを特徴とする。
【００１９】
また、前記流通管理センターには、前記所定の商品を発注時、該発注に対応する商品識別コード及び流通管理コードが流通管理センターに送られる時のデータ、前記遊戯客が前記取得した所定の商品を景品自動買取装置にセットしたとき読み取られる前記流通管理コード等のデータ、及び該取得された流通価格及び買取手数料に基づき前記景品買取が行われる時の各データの認証・決済を行う認証・決済センターを含むことを特徴とする。
【発明の効果】
【００２０】
本発明の音楽やゲーム、ビジネス用ソフトの様なデジタル・コンテンツが記憶媒体に記録された商品をパチンコ営業者が提供する景品として採用し、中古流通市場にリンクさせることにより、いわゆる「特殊景品」の非合法性を払拭し、合法的な景品買取の仕組みを構築することが可能になる。
【００２１】
また、本発明のデジタル・コンテンツ商品は、パソコン等で使用時に自動的にセンターに使用状態を通知するので、該商品を買取装置に掛けたとき自動的にセンターで管理されている当該商品の流通価格が取得できるので、従来人手に頼っていた買取の自動化が実現できる効果がある。
【発明を実施するための最良の形態】
【００２２】
以下、図面を参照し、実施例に基づき本発明を詳細に説明する。
【実施例】
【００２３】
図１は、本発明の景品交換・買取システムの全体構成を説明する図である。同図において１はパチンコ・ホール（遊戯店）、２は該ホール内に設けられた景品発注端 末、３は該景品発注端末２と連動する景品自動払い出し装置、４はベンダー（第３者景品買取者）、５は認証センター、６は流通管理センター、７はコンテンツ・センター、８，９，１０はそれぞれ認証・決済サーバー、流通管理サーバー、デジタル・コンテンツ・サーバーである。なお、これら認証センター、流通管理センター及びコンテンツ・センター全体を広義の流通管理センターという。１３は、発注データ管理を行うセンター、１１は前記ホール外に設けられた景品自動買取装置、１５，１６，１７，１８はカード型ＣＤおよびタグを示す。なお、１９，２０はこれらの管理データのみの模式図である。また、景品発注端末２、景品自動払い出し装置３、景品自動買取装置１１の具体的イメージが図６に示される。
【００２４】
図１において、遊技客が自己の勝玉に応じた景品を選択する際、
１）  遊戯客が図示されない勝ち球計数装置により勝ち玉を計数させると、景品発注端末２に商品メニューが表示され、
２）  同商品メニューには、各デジタル・コンテンツ商品が価格帯やカテゴリー別に分類されて案内されていて、
３）  遊技客が自己の勝ち球を見て、任意のデジタル・コンテンツ商品を選択すると、同商品の詳細が案内される。
【００２５】
尚、この実施例では、上記商品のデジタル・コンテンツ部分は、ＰＣやＰＤＡ用のメディア（例：カード型ＣＤ、コンパクトフラッシュ（登録商標）メモリ、ＵＳＢ対応メモリ等）に直接記録されて供給される場合を想定しているが、同メディアの起動用プログラムの通信プログラムをＰＣやＰＤＡ等のコンピュータにより始動してコンテンツ・センター等にネットワーク接続して供給を受け取るものでもよい。
【００２６】
そして、遊技客が同商品の選択を確定し発注すると、景品発注端末２に連動した自動払出装置３（景品発注端末と一体化してもよい）は、
１）  同商品１５の表面に同デジタル・コンテンツの内容（価格帯やカテゴリー等）に関する商品識別コード（Ａ）を印字し、
２）  また、同商品１５を構成するメディア内に設けられた記憶エリアまたは同商品に取り付けられた記憶媒体（例：磁気テープやＩＣメモリ等）に同商品の販売情報（販売日時、販売店、連番等）に関する流通管理コード（Ｂ）を記録し、更にこれら（Ａ）（Ｂ）を流通管理センターの流通管理サーバーに売上データと共に送信する（図１(1) 、(2) 、(3) ）。また、必要に応じて該売上データは、ベンダー４にも送信される。
【００２７】
尚、１）における印字については、同メディアのリサイクル性を考慮して、熱転写方式などの書き換え可能な印字方法を採用し、目視可能な文字または数字の組合せを印字する方法が望ましい。
【００２８】
流通管理センター６の流通管理サーバー９は、
１） 前述の（Ａ）（Ｂ）を流通管理ファイルに記録（各コードは一対で管理される）する。
【００２９】
尚、ここで、同商品のデジタル・コンテンツ部分がネットワーク接続により供給される場合は、（Ａ）をコンテンツ・センターに送信し、これに対応したコンテンツをコンテンツ配信用アプリケーション・サーバーにセットさせておく。
【００３０】
ここで、
＜ＣＡＳＥ−１＞
利用者が、同商品のデジタル・コンテンツを自宅１２のＰＣやＰＤＡ等により利用する場合、
１）  同商品１８をＰＣ、ＰＤＡ等にセットすると、
２）  同商品１８に記録された起動用プログラムが始動し、利用者に前記商品識別コード（Ａ）の入力を求め、利用者が（Ａ）を入力すると、起動用プログラムは、(1) メディアに直接記録されている（Ａ）に対応したデジタル・コンテンツを確定して始動するか、(2) 通信プログラムを始動してコンテンツ・センター等に接続し、（Ａ）に対応したコンテンツが準備されているコンテンツ配信用アプリケーション・サーバーからダウンロードする。
【００３１】
３）  更に、起動用プログラムは、流通管理用通信プログラムを始動し、同ＰＣやＰＤＡ等を流通管理センターに接続し、２）の操作（１回のコンテンツ使用）が行われたことを流通管理サーバーに送信し、順次、その操作ごとにこれを繰り返す（図１(4)'）。
【００３２】
４）  ここで、流通管理サーバーは、前述の流通管理ファイルに当該する商品識別コード（Ａ）の商品が（１回）使用されたことを記録する。
＜ＣＡＳＥ−２＞
利用者が、同商品のデジタル・コンテンツを売却する場合
１）  同商品１７を自動買取装置１１にセットすると、
２）  同商品を構成するメディア内に設けられた記憶エリアまたは同商品に取り付けられた記憶媒体に記録された流通管理コード（Ｂ）が自動的に読み取られ、
３）  同時に、同（Ｂ）が流通管理センターの流通管理サーバー９に送信される（図１(4) ）。
【００３３】
４）  同流通管理サーバーは、流通管理ファイルの同（Ｂ）に対応するフィールドを呼び出し、商品識別コード（Ａ）の使用状況（回数）を読み出し、例えば、使用度に応じた流通価格ファイルの金額データと一緒に、自動買取装置に送信する（図１(4) ）。
【００３４】
５）  自動買取装置は、同使用回数または金額データに基づき買取金額を払い出す。
【００３５】
尚、ここで、回収された同商品のメディア部分は、同メディア内の記憶エリアまたは同商品に取り付けられた記憶媒体の情報（流通管理コード等）が消去されることにより再利用される。なお、図１において、１〜５は、ベンダー（第３者買取機関）への上記商品やデータの流れを示す。
【００３６】
なお、上記実施例の場合、自動買取装置がその都度流通管理センターに商品識別コードの使用状況を問い合わせにいっているが、前記景品払い出しの時に景品払い出し装置３または前記流通管理センター９から景品自動買取装置１１に予め該景品払い出し情報を送信しておいてもよい。この場合は、景品買取は未使用景品であって、その景品自動払い出し装置で提供される景品の買取のみに限定される簡略方式となる。
【００３７】
また、上記実施例の場合、商品識別コードと流通管理コードの２種類を用いているが、これは前記景品自動買取装置において、識別コードの迅速な読み取りや偽造防止の目的で、不可視なかつ非接触メモリ（ＩＣタグ等）や機械読み取り容易な二次元バーコードを用いた第２のコード（流通管理コード）を採用しているが、例えばＣＤ内に前記商品識別コードを記録させれば、上記商品識別コードと流通管理コードを同じものを用い、流通管理コードを省略することも可能である。ただし、この場合は、自動読み取りの迅速性に問題がある。
【００３８】
図２〜図４を参照して、さらに詳細な図１の動作を説明すると、以下のとおりである。
【００３９】
図２は、上記景品発注端末機で遊戯客が所定の商品（例えば、カード型ＣＤ−ＲＯＭ）を自動払い出し装置から供給を受けるときの情報の流れを示している。
【００４０】
まず、遊戯客が自己の勝ち玉を清算するため勝ち玉係数機に掛けると、その計数値に対応した商品選択メニューが景品発注端末２に表示され、遊戯客が該メニューから勝ち玉数に見合った景品を選択すると、図２の２１に示されるように選択された商品毎にユニークな商品識別コード（Ａ）とユニークな流通管理コード（Ｂ）が発生し、自動払い出し装置３において上記商品識別コード（Ａ）が上記所定の商品（カード型ＣＤ）１５の印字エリアに印字される。同時に、上記流通管理コード（Ｂ）が上記商品（カード型ＣＤ）１５と一体化されて梱包される記憶媒体（ＩＣチップ）に記録される。なお、商品識別コード（Ａ）は商品の種類（価格帯やカテゴリー等）および個別番号を表し、流通管理コード（Ｂ）は個々の商品毎に添付されるＩＣチップの個別の管理番号を示す。上記商品（カード型ＣＤ）は上記記憶媒体（ＩＣチップ）と一体化されて遊戯客に渡される。
【００４１】
上記払い出し動作と平行して、上記発生した商品識別コード（Ａ）と流通管理コード（Ｂ）は図２の２１の如きデータとして認証センター５に送信される。
【００４２】
認証センター５では図２の２２の如く、該データをデータベースに格納すると共に、上記データは流通管理センターにも送信する。同様にして、流通管理センター６のデータベースにも図２の２３に示すように必要な情報が格納される。
【００４３】
図１においては、これら発注データを管理するセンター（ＶＩＳＩＯＮ  ＳＨＯＰ（商標））が別に設けられており、発注の確認を行っているが、該センターは省略してもよい。上記データの流れは、図１において、(1) 〜(3) で示される。
【００４４】
図３は、遊戯客が前記カード型ＣＤの中身（デジタル・コンテンツ）を自宅１２のパソコン等で使用したときの情報の流れを示す。
【００４５】
自宅のパソコンでカード型ＣＤを開くとき、遊戯客は該ＣＤに印刷されている商品識別コード（Ａ）の入力を要求される。この場合、該商品識別コード（Ａ）が必ずコンテンツ・センターに送信されるような仕組みとなっている。例えば、指定のＵＲＬ（コンテンツ・センター）に上記商品識別コードを送信し、許可コードを貰わないと上記ＣＤが使えないとか、あるいはＣＤの商品識別コードを入力すると、自動的にコンテンツ・センターに接続されて該商品識別コードが送信され、受信確認通知を待って開く等の仕組みである。図３は、コンテンツ・センターのゲーム・サーバに接続してゲームを行う場合を示しており、この場合の上記仕組みは、ゲームを行うためゲーム・サーバへの接続が必要になるのでもっと簡単になる。
【００４６】
コンテンツ・センターでは、上記受信した商品識別コード（Ａ）を流通管理センター６に送信し、流通管理センター６ではデータベース２３上の該送信された商品識別コード（Ａ）に対応したＦＡＬＧフィールドにカウントをセットすると共に、そのときの上記商品識別コードの商品に残っている使用可能な金額情報をコンテンツ・センターに返送する。このようにして、遊戯客が前記ＣＤを使用毎に該ＣＤで使用可能な金額は減額されていき、該減額された金額がそのときのＣＤの流通価格となる。
【００４７】
図４は、前記カード型ＣＤを買取って貰うときの本システムの情報の流れを示す
。
遊戯者が、前記の如く払い出されたデジタル・コンテンツ商品（カード型ＣＤ）１７を前記自動買取装置１１に挿入すると、挿入されたカード型ＣＤ等のＩＣチップ（ＣＤと一体化されて梱包されているＩＣタグ）より前記流通管理コード（Ｂ）を読み取る。自動買取装置１１は、該取得された流通管理コード（Ｂ）４１を流通管理センターに送信する。流通管理センター６は、送信された流通管理コード（Ｂ）のデータをデータ ベースに照合し、利用済み、データ無し等の検証を行う。その後、正常データのＦＬＡＧフィールドに交換済みフラグを書き込み、同時に前記流通管理コード（Ｂ）４１に結果を書き込んだデータ４３を自動買取装置１１に返送する。
【００４８】
図５は、本発明の景品交換・買取システムを同じ出願人が別途提案している店外景品引渡しシステムに連携させたときの説明図である。
【００４９】
図５の景品交換システムは、センター方式による店外景品引渡しを可能にして、パチンコ営業者が顧客の勝玉に対する景品提供サービスをシームレスかつ順法に運用できる環境を提供し、同時にパチンコ営業の合理化と顧客の利便性とを最大限に図ることができる。
【００５０】
すなわち、該店外景品引渡しシステムは、パチンコ店５１の店内に設けられたパチンコ店内端末５６、地域専門店等の提携先商店５３の店内に設けられた商店内端末５７、及びこれらを統括・管理し、景品センター機能を有する統括・管理センター５２からなり、パチンコ店外での提携先商店５３での景品交換を可能とする店外景品交換サービス・システムにおいて、前記パチンコ店内端末において景品交換の景品選択時、顧客が入力した発注内容と、顧客が入力した暗証番号、パチンコ店ＩＤ及び店内端末ＩＤを含む発注ＩＤとを発注データとして生成し、該発注ＩＤを記載した発注確認書を顧客に発行すると共に、該発注データをパチンコ店の秘密鍵で暗号化して前記統括・管理センター５２に送り、前記統括・管理センターでは、該暗号化された発注データをそのまま景品センター５８に蓄積し、前記商店内端末５７において、顧客の持参した発注確認書をもとに、該暗号化された発注データを景品センター５８から取得し、パチンコ店の公開鍵で復号化して、前記発注内容を取得し景品交換を行なうように構成したものである。
【００５１】
図５は、この別途提案の店外景品交換システムに本発明の景品買取システム５４を組み合わせたことを特徴としている。図５の景品買取方法も図１〜図４と同様に行われる。このシステムによれば、遊戯客は店外での景品交換も景品買取機構による買取換金も任意に選択できることになり、遊戯客へのサービスが向上する。また、このときの景品買取装置を上記店外景品交換センター内、もしくは隣接して設けるとさらに利便性が向上する。
【産業上の利用可能性】
【００５２】
本発明の音楽やゲーム、ビジネス用ソフトの様なデジタル・コンテンツが記憶媒体に記録された商品をパチンコ営業者が提供する景品として採用し、中古流通市場にリンクさせることにより、いわゆる「特殊景品」の非合法性を払拭し、合法的な景品買取の仕組みを構築することが可能になる。
【００５３】
また、別途提案の店外景品交換システムと連動させることにより、従来の景品交換方法では防ぐことが困難だった勝玉の店外持ち出し、景品の自家買い、成りすましによる景品の不正取得、その他の違法行為を完全に排除することができると共に、極めて信頼性・公平性・安全性及び安定性の高い景品交換取引が実現できる。
【図面の簡単な説明】
【００５４】
【図１】本発明の景品交換・買取システムの全体構成を説明する図である。
【図２】本発明の景品発注端末機で遊戯客が所定の商品（例えば、カード型ＣＤ−ＲＯＭ）を自動払い出し装置から供給を受けるときの情報の流れを示す図である。
【図３】本発明のシステムにおいて、遊戯客が前記カード型ＣＤの中身（デジタル・コンテンツ）を自宅のパソコン等で使用したときの情報の流れを示す図である。
【図４】前記カード型ＣＤを買取って貰うときの本発明のシステムの情報の流れを示す図である。
【図５】本発明の景品交換・買取システムを同じ出願人が別途提案している店外景品引渡しシステムに連携させたときの説明図である。
【図６】景品発注端末２、景品自動払い出し装置３、景品自動買取装置１１の具体的イメージを示す図である。
【符号の説明】
【００５５】
１      ホール
２      景品発注端末
３      自動払い出し装置
４      ベンダー
５      認証センター
６      流通管理センター
７      コンテンツ・センター
８      認証・決済サーバ
９      流通管理サーバ
１０      デジタル・コンテンツ・サーバ
１１      自動買取装置
１２      自宅
１３      発注管理センター
１５〜１７      カード型ＣＤ
５１      サービス加盟店（ホール）
５２      統括・管理センター
５３      景品引渡所
５４      景品買取機構
５６      店内端末
５７      店外端末
【図１】
2005046284.tif 000003
【図２】
2005046284.tif 000004
【図３】
2005046284.tif 000005
【図４】
2005046284.tif 000006
【図５】
2005046284.tif 000007
【図６】
2005046284.tif 000008